(57)【特許請求の範囲】
【請求項１】
装置に流入する空気流に適合するように軸方向（Ｃ−Ｃ）へ伸延部を有する空気流ダクト（１１；１１１）と、空気流ダクト（１１；１１１）内に配置される空気搬送ファンユニット（１３；１１３）と、高電圧源（２３）に接続されそして清浄されるべき空気の貫通流路を有する電気集塵装置（１２；１１２）と、空気流ダクト（１１；１１１）の一端に近接して配置される単極コロナ電極（２１；１２１）とを含み、前記電気集塵装置（１２；１１２）が２つの電極エレメントまたは２組の電極エレメントを含み、それぞれ２つまたは２組の電極エレメントの各々が高電圧源（２３）のそれぞれの極に接続される、室内空気／外気を清浄するための空気清浄装置であって、ターゲット電極（２２；１２２）がコロナ電極（２１；１２１）から放射方向に離間して配置され、コロナ電極（２１；１２１）はそこで発生されたイオンがコロナ電極（２１；１２１）からターゲット電極（２２；１２２）に向かって自由に拡がれるように配置され、ターゲット電極（２２；１２２）は装置に流入する空気流を取り囲み、電気的絶縁材料で作成された流入グリル／粗フィルタ（１５；１１５）が空気流ダクト（１１；１１１）の軸方向に電気集塵装置（１２；１１２）とターゲット電極（２２；１２２）との間に配設される、空気清浄装置。
【請求項２】
コロナ電極（２１；１２１）は空気流ダクト（１１；１１１）の一端の領域で空気流ダクト（１１；１１１）の中心に配設され、ターゲット電極（２２；１２２）は空気流ダクト（１１；１１１）の同じ端部に近接して配設され、そしてターゲット電極（２２；１２２）はコロナ電極（２１；１２１）から放射方向へ離間して配設される、請求項１に記載の空気清浄装置。
【請求項３】
ターゲット電極（２２；１２２）はコロナ電極（２１；１２１）から放射方向へ一定間隔離間して配設される、請求項１または２に記載の空気清浄装置。
【請求項４】
コロナ電極（２１；１２１）は高電圧源（２３）の一方の極に接続され、ターゲット電極（２２；１２２）は高電圧源（２３）の他方の極に接続され、そしてアース電位に関するコロナ電極（２１；１２１）の極性はアース電位に関するターゲット電極（２２；１２２）の極性に対向する、請求項１から３のいずれか一項に記載の空気清浄装置。
【請求項５】
コロナ電極（２１；１２１）またはターゲット電極（２２；１２２）或いは両電極（２１，２２；１２１，１２２）のいずれかは、１ＧΩ以上、好ましくは２ＧΩ以上の抵抗を有する高抵抗の抵抗器（Ｒ）を介して高電圧源（２３）に接続される、請求項１から４のいずれか一項に記載の空気清浄装置。
【請求項６】
恒久的な部分と交換可能な部分（１１１）とを含み、恒久的な部分はファンユニット（１１３）と高電圧ユニットとを含み、そして交換可能な部分（１１１）は電気集塵装置（１１２）とコロナ電極（１２１）とターゲット電極（１２２）とを含む、請求項１から５のいずれか一項に記載の空気清浄装置。
【請求項７】
恒久的な部分は基台エレメント（１３１）を含み、基台エレメント（１３１）および有漢可能な部分（１３１）とは協働する係合手段（１３０，１３２）を含む、請求項６に記載の空気清浄装置。
【発明の詳細な説明】
【技術分野】
【０００１】
本発明は空気清浄装置に関し、特に、室内の空気を清浄するための装置、ここにおいて居住空間、事務室または産業施設における空気を意味するだけでなく、外気の清浄も意味する、に関する。より詳細には、本発明は室内空気および／または外気を清浄するための空気清浄装置に関し、その装置は、装置内に入る空気流に適合するように軸方向の伸延部を有する空気流ダクトと、空気流ダクトに配置される空気搬送ファンユニットと、高電圧源と接続されかつ清浄されるべき空気のための通気路を備え、各々またはそれぞれの組の各々が高電圧源の対応する極に接続された２つの電極エレメントまたは２組の電極エレメントを備えた電気集塵装置と、空気流ダクトの一端に近接して配設された単極コロナ電極とを備える。
【背景技術】
【０００２】
イオン化装置がイオン化チャンバを共に構成するコロナ電極およびターゲット電極／対電極の形体を取る２段階電気的フィルタの形体の装置は知られている。多くの場合、ターゲット電極の壁により構成されるイオン化チャンバは、程度の差はあるが、２段階電気的フィルタの一部を形成し、そして多くの場合、電気集塵装置として参照される分離器の直近で、その中への空気中の塵埃粒子の帯電が行われるウェル画定空間を描く。このような２段階フィルタと称される空気清浄装置の効力は、イオン化チャンバの効力に非常に大きく依存する。浮遊塵埃の効果的な帯電を達成する一つの方法は、強力なコロナ電流を備えたコロナ電極を駆動することであるが、このことはまた、好ましくない強力なオゾン放出を引き起こす。２段階電気的フィルタの製造業者、例えば、アメリカ合衆国のオレック社は、この問題を処理するために特別なオゾンフィルタを用いている。
【０００３】
低オゾン放出、すなわち、低コロナ電流で有効な帯電を達成する別の方法は、その空間を通って浮遊微小粒子が電気集塵装置へと通る、イオン化チャンバのターゲット電極により描かれる帯電空間が、空気流動方向に大きく広がる方法でイオン化チャンバを構成している。この領域における微粒子の滞留時間は、かくして、帯電に使用可能な時間もまた相対的に長いという結果を伴って、相対的に長くなる。アメリカ特許第５,９９３,５２１号は、効果的な帯電を達成する方法が実施された２段階電気的フィルタを示唆している。しかしながら、その特許によるイオン化チャンバ構造には不利益、すなわち、相対的に嵩張った装置になってしまうイオン化チャンバの物理的容積がある。このことは、アメリカ特許第６,２０３,６００号に例示されているような、１００ｃｍまたはそれ以上の直径を有する相対的に大きな電気集塵装置を構成する可能性を与える高抵抗電気集塵装置を用いる場合に特に影響を受ける。このような円筒形電気集塵装置に適合するイオン化チャンバは、電気集塵装置の直径に対応する、空気流の方向で測定された直径および長さを有する適当な管状である。
【０００４】
近年、室内環境および人の健康へのその影響についての討論はますます吸入空気中の微粒子の存在に焦点を合わせている。この状況で、従来の換気システムを補完するために独立の空気清浄機と称されるものへの関心が非常に増加している。このことは、有害なオゾンの発生なしに、そして低雑音レベルおよび低エネルギ消費で大気汚染を著しく低減することができる装置に対する厳しい要求を引き起こす。また、それらの大きさ、好適な取付けの可能性および、特に、容易なアフターサービスを含む、室内環境への装置の適合性に関する要求がある。
【０００５】
アメリカ特許第６,３９８,８５２号は、好適な実施形態に基づいて、装置を通る空気の流動方向における空気清浄装置の寸法を低減する目的を導入して示される種類の装置を提案しており、そこにおいて低オゾン発生を維持するアメリカ特許第６,２０３,６００号に従って構成された円筒形で対称な電気集塵装置が用いられる。もちろん、装置の有効性はイオン化チャンバにおける空気流滞留時間、およびコロナ電流に依存する。
【０００６】
非常に低いコロナ電流による浮遊塵埃の効果的な帯電を達成する別の方法がアメリカ特許第５,９８０,６１４号に記載されている。この発明によれば、単極イオン源の形体（ブラシ／接点）のコロナ電極が、電気集塵装置、ファンおよび高電圧源から構成される装置の近傍に配置され、このコロナ電極はそこで発生されたイオンが清浄されるべき空気塊を含む空間内にコロナ電極から実質的に自由に散布可能であるように配設される。かくして、装置が設置される空間は大きなイオン化チャンバを構成する。相対的に、微粒子の滞留時間はそれ故に非常に長く、極めて低いコロナ電流の使用を可能にする。低コロナ電流は１μＡ以下であり、相対的に非常に低い電流である。その極めて低いコロナ放電によるエアロゾル粒子を効率的に帯電させる方法は確実に機能するが、そのような解決策に伴う欠点がある。微粒子が部屋の壁に堆積して汚すだけでなく、装置近辺にいる人もまた電気的に帯電され、本質的に危険ではないが、不快に感じる。
【０００７】
この関連で、２段階電気的フィルタと称されるもので清浄するために有効な微粒子の帯電に必要なものは、イオン化装置と称されるもので室内の微粒子を清浄するために必要なものとはまったく異なる。ファンを備えた装置のためそして電気集塵装置のために帯電する微粒子の有効性、すなわち、２段階電気的フィルタの有効性は、電気的に帯電された微粒子（アエロゾル）だけを電気集塵装置で分離できるように、空気清浄容量はどちらかといえば低いので、このような装置を通る空気流の容量に適合する必要である。イオン化装置のケースに配設された微粒子引き付け電極を備えたまたは備えていないイオン化装置による微粒子の帯電および清浄は、このような要求を伴わない。このような装置は、コロナ電極からのイオン雲が装置を設置した空間に自由に散布されるように寸法付けられる。
【先行技術文献】
【特許文献】
【０００８】
【特許文献１】アメリカ特許第５,９８０,６１４号公報
【特許文献２】アメリカ特許第５,９９３,５２１号公報
【特許文献３】アメリカ特許第６,２０３,６００号公報
【特許文献４】アメリカ特許第６,３９８,８５２号公報
【発明の概要】
【発明が解決しようとする課題】
【０００９】
本発明の主たる目的は、極めて低いコロナ電流、さらに具体的に言うと、アメリカ特許第５,９８０,６１４号に例示されるような、単極コロナ電極（ブラシ／接点）を備えた装置に適用可能であり、そして室内でイオン移動が自由であるコロナ電流を用いて浮遊塵埃（エアロゾル）の効果的な分離を達成することを導入して画定される種類の２段階電気的フィルタを提案することである。
【００１０】
本発明の別の目的は、空気流の方向における電気的フィルタの伸延を最小化することにある。
【課題を解決するための手段】
【００１１】
本発明の少なくとも主目的は、以下の独立の請求項１に示される特徴を備えた装置により達成される。本発明の好適な実施形態は従属の請求項に画定されている。
【００１２】
本発明の好適な実施形態は添付の図面を参照して以下に説明される。
【図面の簡単な説明】
【００１３】
【図１】図１は、本発明による電気的フィルタの第１実施形態の概略部分断面図を示す。
【図２】図２は、本発明による電気的フィルタの互換的実施形態の構成部分の概略分解図を示す。
【発明を実施するための形態】
【００１４】
図１に示される空気清浄装置は、空気流のダクトとしてまた作用する、好ましくは円筒形の、ケーシング１１を備えた２段階電気的フィルタの形態を取っている。図１の軸Ｃ−Ｃは電気的フィルタの軸方向を画定すると共に中心線を構成する。電気的フィルタはまた容易に交換可能でありかつ好ましくは円筒形の、ケーシング１１内に配設された静電式電気集塵装置１２と、装置を通過する空気を搬送するように作用するファン／ファンユニット１３の形体の空気搬送装置とを備える。電気集塵装置１２はアメリカ特許第６,２０３,６００号の記載に従って形成され、それにより、電気集塵装置１２は円筒形でありそして高絶縁性材料で作成される。アメリカ特許第６,２０３,６００号はまた従来の電気集塵装置がいかにして高電圧源に接続されるかを開示しており、それ故、その明細書は、後で述べる高電圧源２３との電気集塵装置１２の接続に関して参照されるべきである。
【００１５】
電気的フィルタはまた、粗機械的フィルタのように、すなわち、空気中の大きな粒子が流入グリル１５に捕捉されるように作用するように形成された流入グリル１５を備える。流入グリル１５は絶縁材料、好ましくはプラスチックで作成され、空気流を通すことができる。
【００１６】
軸方向に延びる単極コロナ電極２１が、空気流を通すことができる流入グリル１５の部分の中心にカーボン繊維ブラシの形状で配設される。コロナ電極２１に関して対称である円形対電極／ターゲット電極２２が流入グリル１５の周縁の領域にコロナ電極２１から放射方向に離間してリング形状で配設される。図１は、いかにしてコロナ電極２１が高電圧源２３の第１陰極に接続されそして電気的にアースされた高電圧源２３の第２極にターゲット電極２２が接続されるかを模式的に示している。
【００１７】
図１に矢印Ｐで示される、ファン１３により発生された空気流は、かくして、電気的フィルタの流入グリル１５を通り、ファン１３を通過しそして電気集塵装置１２を通る。
【００１８】
実験室試験では、１μＡ以下の極めて小さなコロナ電流であっても微粒子（エアロゾル）の効果的な帯電を達成するのに十分である、すなわち、下流側の電気集塵装置１２で微粒子を高度に分離できることが示された。この配列の驚くべきことは、コロナ電極２１で発生されたコロナ電流（イオン雲の形態）の大部分が、アメリカ特許第５,９８０,６１４号による装置の場合のように、装置を設置した室内に移動する代わりにターゲット電極２２に到達することである。コロナ電流の大きさ（わずかマイクロアンペアの）はアメリカ特許第５,９８０,６１４号に従った値に対応するので、このことは、装置の流入領域付近で微粒子の帯電が行われることを確実にすることに対してさらに完全に十分であり、そしてアメリカ特許第５,９８０,６１４号に従った空間内へのイオンの自由な移動は微粒子の帯電に実質的に感知できるほどの効力を有しないことを意味する。
【００１９】
極めて低いコロナ電流との組合せにおける非常に高い分離効果は、電気的フィルタの流入領域から離れる、すなわち、空気流に対向する方向に、イオン雲がコロナ電極２１からある程度拡がることを示しており、それにより、流入口を通って電気的フィルタへ流れる空気流中の微粒子は電荷を捕捉するのに十分な滞留時間を有する。実験室試験では、コロナ電極２１とターゲット電極２２との間におけるイオン雲の膨張の大部分は、ターゲット電極２２が画定する面から垂直にそして空気流方向Ｐに対向する方向へ離れることが示された。空気流方向Ｐに対向する方向へのイオン雲の膨張は、大きくともコロナ電極２１とターゲット電極２２との間の放射方向の空間に対応する距離に到達する。コロナ電極２１からのイオン雲の膨張はまた、ターゲット電極２２の電圧を選定することにより容易に調整できる。
【００２０】
アース電位に関する極性がコロナ電極の電圧に対向する高電圧源の極にターゲット電極２２を接続している場合、コロナ電極２１からターゲット電極２２へのイオン雲の膨張は減少される。その理由は、極めて低いコロナ電流と組み合わされた電極２１および２２の通電時、部屋の表面が静電シールド電極または反射電極として作用する、すなわち、コロナ電極２１とターゲット電極２２との間に生じるイオン雲が、ターゲット電極２２に関する部屋の電気的状況により、部屋の表面に移動するのを妨害されるからである。イオン電極２１からのイオン雲の膨張は、それ故、イオン雲を通る空気流の流路のための滞留時間と同様、調整できる。
【００２１】
低またはごくわずかなオゾン発生そしてそれ故に格別に低いレベルのコロナ電流についての要求をいつも増大することは、コロナ電極２１とターゲット電極２２との間の静電場が、コロナ電流のそれ自身の部品に引き付けそしてそれ故にオゾンの発生を増加してしまうことになる、装置のその他の導電性および通電部品によって擾乱されないという効果を有する。このような部品は、特に、ファン１３の上流側に配置されそしてそれ故にコロナ電極２１に最も近くにあるとき、電気集塵装置１２を含む。ファン１３の羽根、モータおよびフレームもまた、導電性材料で作成されている場合、このような部品である。この減少を防止するために、図１に例示されるファン１３の羽根およびフレームはプラスチックで作成される。
【００２２】
電気集塵装置１２が電気的フィルタの流入開口付近に取り付けられた場合、電気集塵装置１２は、例えば、そこを通過する空気の流れを有する、発泡樹脂タイプまたは同等物の電気的絶縁材料の表面により、コロナ電流の受け部分から保護される。
【００２３】
図１に示される実施形態において、ターゲット電極２２は、流入グリル１５に近接して配設された線状リングの形体を取る。ターゲット電極のその他の適用形態ももちろん使用でき、例えば、空気流の方向または放射方向にある程度延びてもよい。しかしながら、ターゲット電極２２は、清浄されることになる空気流全体を実質的に取り囲む／取り巻くべきであり、そしてコロナ電極２１の位置および通電を与えられるターゲット電極２２は、場（静電場）に関して実質的に円形でコロナ電極２１に関して対称であることが重要である。このことは、コロナ電極２１の位置から放射方向に見たときに、発生されたイオン雲が同様であることを意味している。
【００２４】
ゼロ以外の電圧が加えられるように適合された大きな直径を有するターゲット電極２２に関して、相互に電気的に絶縁されそして各々が別個の高抵抗抵抗器を介して高電圧源に接続された複数の部分にターゲット電極２２を分割することが実用的である。このことは、ターゲット電極２２に蓄えられる容量性エネルギそしてそれ故に起こり得る短絡および接触時に生じる放電エネルギをも減少する。このため、本発明によるターゲット電極２２は散逸的または半導電性材料で有効に作成されるかまたは散逸的または半導電性材料の被覆を設けられる。
【００２５】
本発明は円形の電気集塵装置に限定されるものではない。その他の電気集塵装置の形状も用い得るが、本質的なことは、コロナ電極２１の回りの静電場が単極コロナ電極２１と円形対称ターゲット電極２２とで最も容易に達成できる円形に対称であり、そしてコロナ電極２１の回りに発生されるイオン雲が電気的フィルタの流入領域付近の空間を自由に充満できることである。請求の範囲に示される本発明による２段階電気的フィルタの特徴は、かくして、イオン化電極／コロナ電極２１とターゲット電極２２とを共に有し、それらの構成要素は逆流方向のいかなる物理的な制限もなしに互いにイオン化チャンバを構成すると看做される。換言すると、電気的フィルタのイオン化チャンバの物理的寸法は円形ターゲット電極２２とコロナ電極２１とにより画定される「ディスク状」イオン化チャンバより何倍も大きい。
【００２６】
電気的フィルタはまた、イオン雲のある程度までの拡がりがターゲット電極２２に到達できないが、代わりに電気的フィルタのその他の導電性および荷電部分に到達することに注目すべきである。しかしながら、このことは、電気的フィルタ効果、すなわちその微粒子分離効果の改善なしに、より高いコロナ電流、すなわち、より大きなオゾン放出という代償を払うことになる。
【００２７】
図１に示される流入グリル１５は本発明の必須の部分ではない。単極コロナ電極２１は、空気流ダクトへそして、ダクトを通る空気流の方向に見ると、例えば電気集塵装置１２に続く流入口でターゲット電極２２の対称軸に実質的に位置される。本質的なことは、コロナ電極２１が軸方向に指向されそしてダクトを通る空気流に対向する方向に、すなわち、周縁に向かって向くことである。流入グリル１５が省かれた場合、電気集塵装置１２は、例えば、コロナ電極２１と電気集塵装置１２との間の電気的に絶縁された表面により、コロナ電極２１に関して区切られることが重要である。
【００２８】
実験室試験では、それは大部分のコロナ電流を受容するコロナ電極２１の直近に配設されたターゲット電極２２の部分であることが示された。それ故、コロナ電極２１に向かって対面する円形対称形部分だけでなく、コロナ電極２１からさらに遠くに延びるその他の部分によっても構成される場合、ターゲット電極２２の特有な形状の重要性は小さいものである。
【００２９】
もちろん、コロナ電極としてカーボン繊維ブラシ２１を用いる必要はない。尖頭または単極短コロナのその他の周知形体もまた使用し得る。ターゲット電極２２の対向極性、すなわち正コロナと負電圧もまた適用可能である。
【００３０】
開放イオン化チャンバおよびターゲット電極２２に向かうイオン雲の膨張は、コロナ電極２１からターゲット電極２２に向かって見ると、静電帯電のリスクがあるほぼ半球状の領域（滞留空間）を造り出す。このことは危険ではないが疎ましく感じられる。本発明はこのリスクを著しく極小化することができる。この可能性は極めて低いコロナ電流により驚くほどに可能になる。このことは、高電圧源の電極間に配設された極めて高い抵抗Ｒとコロナ電極２１および／またはターゲット電極２２との接続とにより達成される。図１においては、１つの抵抗器Ｒだけが高電圧源Ｈとコロナ電極２１との間に配置されている。
【００３１】
実験室試験では、約１ＧΩの抵抗Ｒだけでも著しい効果を達成できたが、抵抗値は２ＧΩ以上であるのが好ましい。より大きな抵抗値は身体のいかなる部分、例えば手が静電帯電のリスクなしにコロナ電極２１の近辺に残り得る時間を長くする。このことは快適性の観点から極めて重要でありそしてほんのμＡの値でしかないコロナ電流だけで実際に可能である。一例として、０．１μＡコロナ電流×１０ＧΩ抵抗のコロナ電流は、互いに放射方向へ１５ｃｍ間隔付けられて配置されている場合、コロナ電極２１とターゲット電極２２の間に約７−８ｋＶ電圧降下するのに対して１ｋＶの電圧降下を生じるだけである。換言すると、この目的のための高電圧ユニットの設計時に考慮されねばならない保護抵抗器（１０ＧΩ）における電圧増加は保護抵抗器におけるそれぞれの電圧降下の１０％だけである。微粒子を十分に帯電するのに必要なコロナ電流がこの関連においてまた極めて小さい３μＡオーダーであるべきかというと、保護抵抗器Ｒにおける電圧降下が３０ｋＶを示し、それは製造コストおよびその他の電気的動作パラメータに関して不当に大きくなる。
【００３２】
本発明による空気清浄機の図２に示す互換的な実施形態は、好ましくは円形の筒状ケーシング１１１を備え、その軸方向は軸Ｃ−Ｃにより示され、その軸はまたケーシング１１１の中心線を構成する。ケーシング１１１は空気流のダクトとして作用する。ケーシング１１１はアメリカ特許第６,２０３,６００号の記載に従って構成された電気集塵装置１１２を収容し、それにより、電気集塵装置１１２は円筒形でありそして高抵抗材料で作成される。単極コロナ電極１２１が電気集塵装置１１２に一体化され、ブラシの形状を取りそして電気集塵装置１１２の中心に配設される。コロナ電極１２１は、図２にＰで示される空気流の方向に対向する方向に空気清浄装置を通る伸延部を有する。
【００３３】
ケーシング１１１はまたケーシング１１１の空気吸入開口に適合されたリング形状のターゲット電極１２２を収容する。
【００３４】
電気的絶縁材料で作成された流入グリル／粗機械的フィルタ１１５が、ケーシング１１１の軸方向Ｃ−Ｃから見て、ターゲット電極１２２と電気集塵装置１１２との間に配置される。流入グリル／粗フィルタ１１５は電気集塵装置１１２およびターゲット電極１２２と適合するように円筒形の外周を有する。
【００３５】
電気集塵装置１１２、粗フィルタ１１５およびターゲット電極１２２の直径は同じオーダーの大きさである。ターゲット電極１２２から離れて対面するケーシング１１１の端部の領域において、ケーシング１１１には後述する機能を有する開口１３０が設けられる。
【００３６】
ケーシング１１１およびその構成要素１１２、１１５、１２１、１２２は一度限りの使用を対象とするもの、すなわち、使用者がそうする理由を見つけたとき、例えば、どれかの構成要素がもはや洗浄は賢明ではないほどに汚染されているとき、ケーシング１１１およびその構成要素１１２、１１５、１２１、１２２により構成されたユニットは交換される。
【００３７】
互換的な実施形態による空気清浄装置はまた、開口１３０と協働するように適合されたフック状係合手段１３２を有する基台エレメント１３１を含む恒久的部分を含む、すなわち、フック状係合手段１３２と開口１３０とがケーシング１１１と基台エレメント１３１との間の着脱自在な結合を構成する。中心線Ｃ−Ｃはまた恒久的部分の中心線を構成しそしてまた恒久的部分の軸方向を画定する。
【００３８】
恒久的部分は基台エレメント１３１に置かれたファンユニット１１３を含む、すなわち、ファンユニット１１３がその軸方向Ｃ−Ｃへある程度延びるように基台エレメント１３１に穴開けされる。ファンユニット１１３はファンユニット１１３の一部を形成する保護ケージ１３４によって取り囲まれたファン羽根１３３を含む。ファンユニット１１３はまた、ファンの電力源を構成する電気的コンポーネント１３５と、コロナ電極１２１とターゲット電極１２２との間にコロナ電流を発生する高電圧ユニットとを含む。高電圧ユニットは、恒久的部分の基台エレメント１３１がケーシング１１１に組み立てられるとき、コロナ電極１２１とターゲット電極１２２とに接続される。
【００３９】
種々の部品の材料に関して、それらの部品の各々に関する上述の説明を参照されたい。また、図２に矢印Ｐで示される流入空気のイオン化に関して、コロナ電流並びにイオン化中に形成されるイオン雲の膨張に関する上述の説明を参照されたい。
【符号の説明】
【００４０】
１１    ケーシング
１２    静電式電気集塵装置
１３    ファン
１５    流入グリル
２１    コロナ電極
２２    ターゲット電極
２３    高電圧源
１１１    ケーシング
１１２    電気集塵装置
１１３    ファンユニット
１２１    コロナ電極
１２２    ターゲット電極
１１５    粗機械的フィルタ
１３０    開口
１３１    基台エレメント
１３２    フック状係合手段
１３４    保護ケージ
１３３    ファン羽根
１３５    電気的コンポーネント
【図１】
0005608166.tif 000002
【図２】
0005608166.tif 000003